(57)【要約】【課題】反転バネの厚み削減し、記録メディア装置の小型化、薄型化を実現する。【解決手段】コネクタ部が形成されたベース板と、挿入された記録メディアを保持してベース板上をスライドする記録メディアホルダとを有する。また、一端がベース板に係止されるとともに、他端が記録メディアホルダに係止され、記録メディアホルダの位置によって押圧方向が変化する反転バネを有する。この反転バネは、線材を巻回した巻回部を持たない。このような反転バネの構成とすることにより反転バネの厚さを削減することができ、記録メディア装置の小型化、薄型化を実現することが可能である。【選択図】　図５
2004118337.tif 000002
【特許請求の範囲】
【請求項１】
コネクタ部が形成されたベース板と、挿入された記録メディアを保持して上記ベース板上をスライドする記録メディアホルダとを有する記録メディア装置において、
一端が上記ベース板に係止されるとともに、他端が上記記録メディアホルダに係止され、記録メディアホルダの位置によって押圧方向が変化する反転バネを有し、
当該反転バネは、線材を巻回した巻回部を持たないことを特徴とする記録メディア装置。
【請求項２】
上記反転バネは、略々Ω形状を有することを特徴とする請求項１記載の記録メディア装置。
【請求項３】
上記反転バネは、上記記録メディアホルダに記録メディアが挿入されていない待機状態のときには、記録メディアの排出方向に上記記録メディアホルダを押圧し、上記記録メディアホルダに記録メディアが挿入され装着位置まで移動した状態のときには、記録メディアの挿入方向に上記記録メディアホルダを押圧することを特徴とする請求項１記載の記録メディア装置。
【発明の詳細な説明】
【０００１】
【発明の属する技術分野】
本発明は、記録メディア装置に関するものであり、特にスライド可能な記録メディアホルダ部を備えた記録メディア装置に関する。
【０００２】
【従来の技術】
内部に情報を記録する半導体素子を有するメモリーカードは、小型、軽量であり、取り扱いが容易であることから、リムーバブルな記録メディアとして広く用いられている。その他、記録メディアとしては、磁気記録媒体や磁気ヘッドの有する超小型ハードディスクドライブタイプのもの等も知られている。
【０００３】
記録メディア装置は、メモリーカード等の記録メディアを装着し、さらには装着された記録メディアを排出するための機構を有し、装着された記録メディアにアクセスして情報の記録を行ったり、記録メディアに記録された情報の読み取りを行う装置である。
【０００４】
この記録メディア装置には、記録メディアを単に差し込む構成のものや、記録メディアをホルダで保持して所定の装着位置までスライドする構成のもの等、種々のタイプのものが知られているが、信頼性の高い装着が確実に行え脱着動作も円滑であると言う点で後者の構成のものが有利である。
【０００５】
【発明が解決しようとする課題】
ところで、上記記録メディアホルダがスライドする構成の記録メディア装置においては、スライド機構や種々の位置決め機構等が必要であり、特に、記録メディアホルダは、記録メディアが挿入される前の待機時や、スライドして記録メディアを所定の装着位置まで移動させた後には、それぞれ安定した位置決め状態が実現されることが望ましい。
【０００６】
そこで、いわゆる反転バネを用いて位置決め状態を安定化することが考えられている。図８に示すように、反転バネ１００は、線材を巻回した巻回部１０１と、両端の係止部１０２，１０３とからなり、一方の係止部を中心に回転（反転）させた時に、反転前後で押圧方向が変化するものである。
【０００７】
しかしながら、この図８に示す反転バネ１００は、巻回部１０１の厚さが厚く、装置の薄型化の妨げになっている。
【０００８】
そこで本発明は、かかる従来の実情に鑑みて提案されたものであり、反転バネの厚さを削減し、記録メディア装置の小型化、薄型化を実現することを目的とする。
【０００９】
【課題を解決するための手段】
上述の目的を達成するために、本発明の記録メディア装置は、コネクタ部が形成されたベース板と、挿入された記録メディアを保持して上記ベース板上をスライドする記録メディアホルダとを有する記録メディア装置において、一端が上記ベース板に係止されるとともに、他端が上記記録メディアホルダに係止され、記録メディアホルダの位置によって押圧方向が変化する反転バネを有し、当該反転バネは、線材を巻回した巻回部を持たないことを特徴とする。
【００１０】
反転バネを、例えばギリシャ文字のΩの形状のように、線材を平面形状となるように湾曲させて構成し、巻回した巻回部を持たないようにすれば、その部分の厚みが削減される。したがって、これを取り付ける空間も削減され、記録メディア装置が小型化、薄型化される。
【００１１】
【発明の実施の形態】
以下、本発明を適用した記録メディア装置について、図面を参照しながら詳細に説明する。
【００１２】
具体的構造の説明に先だって、先ず、本発明を適用した記録メディア装置の基本的な動作について説明する。
【００１３】
図１に示すように、記録メディア装置１は、メモリーカードのような記録メディア２が挿入される挿入口３が形成されたフロントベゼル４と、前記挿入口３を塞ぐ蓋５と、図中Ｙ１，Ｙ２方向に移動可能に支持されており挿入された記録メディア２を保持する筐体状の記録メディアホルダ６と、この記録メディアホルダ６をスライド支持するベース板７とを有する。ベース板７の後端部には、装着された記録メディア２の端子と接続されるコネクタ部８が設けられている。
【００１４】
記録メディアホルダ６は、図示しないロック機構によってＹ１方向に移動しないようにロックされており、記録メディア２が記録メディアホルダ６内に挿入されたときにロックが解除される構成である。記録メディア２が装着されていないとき、あるいは記録メディア２全体が内部に収容されたときには、上記蓋５が挿入口３を塞ぐ。
【００１５】
記録メディア２を装着する前の状態では、記録メディアホルダ６は、図１（Ａ）に示す位置にあり、ロック機構によってロックされている。操作者が蓋５を押し開けながら記録メディア２を挿入口３に挿入すると、図１（Ｂ）に示すように、記録メディア２は記録メディアホルダ６に挿入される。この記録メディア２の挿入によって、記録メディアホルダ６のロックが解除され、記録メディアホルダ６は矢印Ｙ１方向へ移動可能となる。
【００１６】
さらに記録メディア２を押し込むと、図１（Ｃ）に示すように、記録メディア２は記録メディアホルダ６に保持された状態で、記録メディアホルダ６のスライドに伴って移動し、ある程度移動すると、反転バネの作用によってＹ１方向に引き込まれ、図１（Ｄ）に示すように、ベース板７の後端部に突き当たって固定される。このとき、記録メディア２の端子がベース板７に設けられたコネクタ部８と接続され、挿入口３は蓋５によって塞がれる。
【００１７】
この状態が記録メディア２が記録メディア装置に装着された状態であり、この状態で記録メディア２と記録メディア装置の間で情報の書き込み、あるいは情報の読み出しが行われる。
【００１８】
情報の書き込み、あるいは読み出しが終了して記録メディア２を取り出す場合には、操作者はイジェクト釦を押すイジェクト操作を行う。イジェクト操作をすると、図１（Ｄ）に示す固定状態が解除され、記録メディアホルダ６が矢印Ｙ２方向に移動して図１（Ｅ）に示すように蓋５が記録メディア２によって押し開かれる。ある程度まで移動すると、先の反転バネの作用によって今度は矢印Ｙ２方向に記録メディアホルダ６が押し出され、図１（Ｆ）に示す位置まで移動する。この状態で、操作者は図１（Ｇ）に示すように記録メディア２をつまんで取り出す。
【００１９】
以上が本発明を適用した記録メディア装置の基本的な動作であるが、次に、その具体的構造について説明する。
【００２０】
記録メディア装置は、図２に示すように、ベース板１１と、この上をスライドする記録メディアホルダ１２とを有している。ベース板１１の後端部には、絶縁性を有する樹脂板１３がはめ込まれ、これに端子ピン１４が複数配列されてコネクタ部とされている。
【００２１】
記録メディアホルダ１２は、金属板からなる筐体状の部材であり、記録メディアが挿入される開口部１２ａを有する。また、記録メディアホルダ１２は、係止爪１２ｂを有し、これをベース板１１の一側縁１１ａに係止することにより、Ｙ１方向、あるいはＹ２方向にスライド可能となっている。
【００２２】
また、上記ベース板１１には、上記記録メディアホルダ１２を図示の一に固定するロック機構１５が設けられている。このロック機構１５は、ベース板１１を切り欠くことにより形成されたストッパ部１６からなるものであり、その突起部１６ａを記録メディアホルダ１２の底面板１２ｃの一側縁１２ｄに突き当てることにより、これを固定するものである。
【００２３】
その他、上記ベース板１１の側方には、イジェクトピン１７が設けられており、これを操作することにより、記録メディアホルダ１２の排出動作が行われる。すなわち、このイジェクトピン１７の操作により、図示しない記録メディアホルダ１２に係止されたカム板が回動し、記録メディアホルダ１２を矢印Ｙ２方向に押し出す。なお、上記イジェクトピン１７は、バネによって矢印Ｙ１方向に引っ張られており、図２に示す状態が安定状態である。
【００２４】
図３に示すように、上記記録メディア装置に記録メディア１８を挿入すると、記録メディア１８は開口部１２ａから記録メディアホルダ１２内へ挿入される。この状態は、図１（Ｂ）の状態に相当する。記録メディア１８が挿入されると、斜めに切り欠かれた先端面１８ａが上記ストッパ部１６の突起部１６ａを押し下げ、ロック機構１５のロック状態を解除する。すなわち、記録メディアホルダ１２は、矢印Ｙ１方向にスライド可能となる。
【００２５】
図４は、さらに記録メディア１８を押し込んで記録メディアホルダ１２をスライドさせ、装着位置に固定した状態を示すものである。この状態では、記録メディア１８の端子部がベース板１１のコネクタ部の端子ピン１４と電気的に接続され、記録メディア１８に対して情報の記録や、記録された情報の読み出しが可能となる。
【００２６】
情報の書き込み、あるいは読み出しが終了して記録メディア１８を取り出す場合には、上記イジェクトピン１７を押し込み操作する。これによりカム板が回動し、記録メディアホルダ１２を矢印Ｙ２方向に押し出す。
【００２７】
反転バネは、図５及び図６に示すように取り付けられ、記録メディアホルダ１２の位置決め状態を安定化している。以下、この反転バネについて説明する。
【００２８】
反転バネ２０は、図５及び図６に示すように、円環状のバネ部２１と、両端に設けられた係止部２２，２３を有しており、線材を巻回した巻回部を有することなく構成されている。そして、一方の係止部２２は、ベース板１１に設けられたバネ固定片１１ｂに固定され、他方の係止部２３は、記録メディアホルダ１２に設けられたバネ固定片１２ｅに固定されている。
【００２９】
上記ベース板１１は固定されており、一方、記録メディアホルダ１２はスライド可能であることから、上記ベース板１１のバネ固定片１１ｂに固定された反転バネ２０の係止部２２が固定され、記録メディアホルダ１２のスライドに伴う係止部２３の移動により、上記反転バネ２０は上記係止部２２を中心にして回動することになる。
【００３０】
ここで、図５に示すように、記録メディアホルダ１２が記録メディア未挿入状態（図２に示す状態に相当する。）にあるときには、記録メディアホルダ１２に設けられたバネ固定片１２ｅに固定された係止部２３は、ベース板１１のバネ固定片１１ｂに固定された係止部２２よりも、矢印Ｙ２方向の前方に位置する。したがって、ベース板１１のバネ固定片１１ｂによって固定された反転バネ２０の弾発力は、記録メディアホルダ１２に設けられたバネ固定片１２ｅに固定された係止部２３において、矢印Ａ方向に加わる。すなわち、反転バネ２０は、記録メディアホルダ１２を挿入口側に押圧して、この状態を安定化する。
【００３１】
これに対して、図６に示すように、記録メディア１８が装着された状態（図４に示す状態に相当する。）にあるときには、反転バネ２０は回転によりその向きが反転し、記録メディアホルダ１２に設けられたバネ固定片１２ｅに固定された係止部２３は、ベース板１１のバネ固定片１１ｂに固定された係止部２２よりも、矢印Ｙ２方向の後方に位置する。したがって、ベース板１１のバネ固定片１１ｂによって固定された反転バネ２０の弾発力は、記録メディアホルダ１２に設けられたバネ固定片１２ｅに固定された係止部２３において、矢印Ｂ方向に加わる。すなわち、反転バネ２０は、記録メディアホルダ１２をコネクタ部側に押圧して、記録メディア１８とコネクタ部との接続状態を安定化する。
【００３２】
以上の構成において、上記反転バネ２０は、線材を巻回した巻回部を有することなく構成されている。したがって、厚さが極めて薄く、これを収容するスペースも僅かなもので済む。したがって、記録メディア装置を薄型化する上で、極めて有効である。なお、反転バネ２０の形状はこの例に限らず、任意の形状が採用可能である。図７は、反転バネ２０の変形例を示すものであり、いずれの場合にも先の例と同様の機能を付与することができる。
【００３３】
【発明の効果】
以上の説明からも明らかなように、本発明によれば、反転バネの厚さを削減することができ、記録メディア装置の小型化、薄型化を実現することが可能である。
【図面の簡単な説明】
【図１】記録メディア装置の基本的な動作を説明するための模式図である。
【図２】記録メディア装置の具体的構造例を示す斜視図である。
【図３】記録メディアを記録メディアホルダに挿入した状態を示す斜視図である。
【図４】記録メディアの装着状態を示す斜視図である。
【図５】図２に示す状態を底面側から見た斜視図である。
【図６】図４に示す状態を底面側から見た斜視図である。
【図７】反転バネの変形例を示す平面図である。
【図８】従来の反転バネの形状を示す斜視図である。
【符号の説明】
１　　　　　　記録メディア装置
２　　　　　　記録メディア
６　　　　　　記録メディアホルダ
７　　　　　　ベース板
１１　　　　　ベース板
１１ｂ　　　　バネ固定片
１２　　　　　記録メディアホルダ
１２ｅ　　　　バネ固定片
１５　　　　　ロック機構
１８　　　　　記録メディア
２０　　　　　反転バネ
２２，２３　　係止部
【図１】
2004118337.tif 000003
【図２】
2004118337.tif 000004
【図３】
2004118337.tif 000005
【図４】
2004118337.tif 000006
【図５】
2004118337.tif 000007
【図６】
2004118337.tif 000008
【図７】
2004118337.tif 000009
【図８】
2004118337.tif 000010